(57)【要約】      （修正有）【課題】プリント基板を板金に固定する際に、そのプリント基板の設計自由度を向上することができる基板位置決め構造、および薄型表示装置を提供する。【解決手段】回路を実装する第１の基板を板金からなるシールドパネル５ａに位置決めする基板位置決め構造において、シールドパネル５ａの一部を外側に切り起こして形成した位置決め固定台座１１ａを有し、この位置決め固定台座１１ａには、シールドパネル５ａの水平方向において直交する第１の基板の２方向をそれぞれ位置決め可能とするように、第１の基板のＹ方向の位置決めをするための第１の突起部１１ａ３と、Ｙ方向と直交するＸ方向の位置決めを可能とするための第2の突起部１１ａ４とが形成される。【選択図】図４
2008218845.tif 000002
【特許請求の範囲】
【請求項１】
回路を実装する基板と、
薄型表示パネルのビューエリアを取り囲むように正面側と側面側とに金属製の枠部が配置されつつ、背面側を板金からなるシールドパネルにて覆われているモジュールとを具備する薄型表示装置において、
上記基板は、
上記液晶パネルの背面側に位置し且つ厚み方向が上記シールドパネルの厚み方向と同じになるように同シールドパネルにネジ止めされることにより上記モジュールに取り付けられるものであり、
上記シールドパネルには、
上記基板をネジ止めするために同シールドパネルの一部を外側に切り起こして形成した複数の切欠きである基板固定部が設けられており、
上記基板固定部は、
上記シールドパネルの水平方向において直交する上記基板の２方向をそれぞれ位置決めし且つ固定する位置決め固定台座と、
上記基板を固定する固定台座とを有し、
上記位置決め固定台座は、
上記シールドパネルの厚み方向に所定長だけ延設する第１の基部と、
上記第１の基部の上記シールドパネルから延設する先端の一部にて同シールドパネルと略水平に所定長だけ延設する第２の基部と、
上記第１の基部の上記シールドパネルから延設する先端の他の一部にて同シールドパネルの厚み方向に所定長だけ延設する第１の突起部と、
上記第２の基部の上記第１の基部から延設する方向と略直交し且つ上記第１の突起部が形成された側と反対方向の先端にて上記シールドパネルの厚み方向に所定長だけ延設する第２の突起部とから形成され、
上記基板をネジ止めするためのネジ穴を上記第２の基部に有し、
上記ネジ穴は、上記基板を固定する際に用いられるネジと螺合する雌ネジを有し、
上記第１の突起部は、
上記基板の所定の一端部が当接することで同基板の所定の一方向への移動を阻止して、同基板を上記シールドパネルに固定する際に同所定の一方向の位置決めを可能とするために形成され、
上記第２の突起部は、
上記基板の上記所定の一端部と直交する所定の他端部が当接することで同基板の上記所定の一方向と直交する所定の他方向への移動を阻止して、同基板を上記シールドパネルに固定する際に同所定の他方向の位置決めを可能とするために形成され、
上記固定台座は、
上記シールドパネルの厚み方向に所定長だけ延設する第３の基部と、
上記第３の基部の上記シールドパネルから延設する先端にて同シールドパネルと略水平に所定長だけ延設する第４の基部とから形成され、
上記基板をネジ止めするためのネジ穴を上記第４の基部に有し、
上記基板は、先ず上記位置決め固定台座にて位置決めされた後、同位置決め固定台座および上記固定台座にてそれぞれネジ止めされて上記シールドパネルに固定されることを特徴とする薄型表示装置。
【請求項２】
回路を実装する基板を板金に位置決めする基板位置決め構造において、
上記板金の一部を外側に切り起こして形成した位置決め固定台座を有し、
上記位置決め固定台座は、
上記板金の水平方向において直交する上記基板の２方向をそれぞれ位置決め可能とするように形成されることを特徴とする基板位置決め構造。
【請求項３】
上記位置決め固定台座は、
上記基板の所定の一端部が当接することで同基板の所定の一方向への移動を阻止して、同基板を上記板金に固定する際に同所定の一方向の位置決めを可能とするように形成された第１の突起部と、
上記基板の上記所定の一端部と直交する所定の他端部が当接することで同基板の上記所定の一方向と直交する所定の他方向への移動を阻止して、同基板を上記板金に固定する際に同所定の他方向の位置決めを可能とするように形成された第2の突起部とを有することを特徴とする請求項２に記載の基板位置決め構造。
【請求項４】
上記位置決め固定台座は、
上記シールドパネルの厚み方向に所定長だけ延設する第１の基部と、
上記第１の基部の上記シールドパネルから延設する先端の一部にて同シールドパネルと略水平に所定長だけ延設する第２の基部とを有し、
上記第１の突起部は、
上記第2の基部の一部にて上記シールドパネルの厚み方向に所定長だけ延設するように形成され、
上記第２の突起部は、
上記第２の基部の上記第１の基部から延設する方向と略直交する先端にて上記シールドパネルの厚み方向に所定長だけ延設するように形成されることを特徴とする請求項３に記載の基板位置決め構造。
【請求項５】
上記位置決め固定台座は、
上記基板をネジ止めするためのネジ穴を有することを特徴とする請求項２乃至４の何れかに記載の基板位置決め構造。
【請求項６】
上記位置決め固定台座は、
薄型表示パネルの背面側を覆う板金の一部を切り起こして形成されたことを特徴とする請求項２乃至５の何れかに記載の基板位置決め構造。
【発明の詳細な説明】
【技術分野】
【０００１】
本発明は、基板位置決め構造、および薄型表示装置に係り、特に、基板の取り付けの際に基板を位置決めする基板位置決め構造、その基板位置決め構造を使用した薄型表示装置に関する。
【背景技術】
【０００２】
抵抗やダイオード等の素子を実装したプリント基板やワンチップマイコンが組み込まれたプリント基板等は、様々な分野で使用されている。このような基板は、多くの製品においてその筐体の中に実装されている。
【０００３】
上記した筐体の中に基板を収納する場合、例えば筐体に収納されたモジュールに基板を取り付ける方法が良く知られている。例えば、特許文献１に示された画像表示装置がそれである。この特許文献１には、モジュールに基板を取り付けるために、モジュールの背面側を覆う金属板（板金）の一部を外側に切り起こして形成した複数の切欠きを、その板金に基板をネジ止めするための取付け部として設けることが記載されている。
【特許文献１】特開２００６−２０９００７号公報
【発明の開示】
【発明が解決しようとする課題】
【０００４】
ところで、基板を板金にネジ止めするときには当然基板の位置決めをする必要がある。ここで、基板の位置決めを簡単に行うために、固定用の部材の他に位置決め用の部材を設けることが考えられる。しかしながら、その場合には、基板と各部材との接触する面積が大きくなるために、基板に実装する素子等の配置の設計自由度が阻害される可能性があった。
【０００５】
本発明は上記課題に鑑みて為されたもので、その目的とするところは、プリント基板を板金に固定する際に、そのプリント基板の設計自由度を向上することができる基板位置決め構造、およびその基板位置決め構造を使用した薄型表示装置を提供することにある。
【課題を解決するための手段】
【０００６】
上記目的を達成するための請求項１に記載の発明は、回路を実装する基板と、薄型表示パネルのビューエリアを取り囲むように正面側と側面側とに金属製の枠部が配置されつつ、背面側を板金からなるシールドパネルにて覆われているモジュールとを具備する薄型表示装置において、上記基板は、上記液晶パネルの背面側に位置し且つ厚み方向が上記シールドパネルの厚み方向と同じになるように同シールドパネルにネジ止めされることにより上記モジュールに取り付けられるものであり、上記シールドパネルには、上記基板をネジ止めするために同シールドパネルの一部を外側に切り起こして形成した複数の切欠きである基板固定部が設けられており、上記基板固定部は、上記シールドパネルの水平方向において直交する上記基板の２方向をそれぞれ位置決めし且つ固定する位置決め固定台座と、上記基板を固定する固定台座とを有し、上記位置決め固定台座は、上記シールドパネルの厚み方向に所定長だけ延設する第１の基部と、上記第１の基部の上記シールドパネルから延設する先端の一部にて同シールドパネルと略水平に所定長だけ延設する第２の基部と、上記第１の基部の上記シールドパネルから延設する先端の他の一部にて同シールドパネルの厚み方向に所定長だけ延設する第１の突起部と、上記第２の基部の上記第１の基部から延設する方向と略直交し且つ上記第１の突起部が形成された側と反対方向の先端にて上記シールドパネルの厚み方向に所定長だけ延設する第２の突起部とから形成され、上記基板をネジ止めするためのネジ穴を上記第２の基部に有し、上記ネジ穴は、上記基板を固定する際に用いられるネジと螺合する雌ネジを有し、上記第１の突起部は、上記基板の所定の一端部が当接することで同基板の所定の一方向への移動を阻止して、同基板を上記シールドパネルに固定する際に同所定の一方向の位置決めを可能とするために形成され、上記第２の突起部は、上記基板の上記所定の一端部と直交する所定の他端部が当接することで同基板の上記所定の一方向と直交する所定の他方向への移動を阻止して、同基板を上記シールドパネルに固定する際に同所定の他方向の位置決めを可能とするために形成され、上記固定台座は、上記シールドパネルの厚み方向に所定長だけ延設する第３の基部と、上記第３の基部の上記シールドパネルから延設する先端にて同シールドパネルと略水平に所定長だけ延設する第４の基部とから形成され、上記基板をネジ止めするためのネジ穴を上記第４の基部に有し、上記基板は、先ず上記位置決め固定台座にて位置決めされた後、同位置決め固定台座および上記固定台座にてそれぞれネジ止めされて上記シールドパネルに固定されることにある。
【０００７】
要するに、本発明の薄型表示装置は、回路を実装する基板と、背面側を板金からなるシールドパネルにて覆われているモジュールとを具備する。
【０００８】
上記した薄型表示装置の上記基板は、上記液晶パネルの背面に位置し且つ厚み方向が上記シールドパネルの厚み方向と同じになるように同シールドパネルにネジ止めされることにより上記モジュールに取り付けられる。上記シールドパネルには、上記基板をネジ止めするために同シールドパネルの一部を外側に切り起こして形成した複数の切欠きである基板固定部が設けられる。
【０００９】
上記基板固定部は、上記シールドパネルの水平方向において直交する上記基板の２方向をそれぞれ位置決めし且つ固定する位置決め固定台座と、上記基板を固定する固定台座とを有する。
【００１０】
上記位置決め固定台座は、上記シールドパネルの厚み方向に所定長だけ延設する第１の基部と、上記第１の基部の上記シールドパネルから延設する先端の一部にて同シールドパネルと略水平に所定長だけ延設する第２の基部と、上記第１の基部の上記シールドパネルから延設する先端の他の一部にて同シールドパネルの厚み方向に所定長だけ延設する第１の突起部と、上記第２の基部の上記第１の基部から延設する方向と略直交し且つ上記第１の突起部が形成された側と反対方向の先端にて上記シールドパネルの厚み方向に所定長だけ延設する第２の突起部とから形成される。上記第２の基部には、上記基板を固定する際に用いられるネジと螺合する雌ネジを有するネジ穴が形成される。
【００１１】
上記第１の突起部は、上記基板の所定の一端部が当接することで同基板の所定の一方向への移動を阻止して、同基板を上記シールドパネルに固定する際に同所定の一方向の位置決めを可能とするために形成される。
【００１２】
上記第２の突起部は、上記基板の上記所定の一端部と直交する所定の他端部が当接することで同基板の上記所定の一方向と直交する所定の他方向への移動を阻止して、同基板を上記シールドパネルに固定する際に同所定の他方向の位置決めを可能とするために形成される。
【００１３】
上記固定台座は、上記シールドパネルの厚み方向に所定長だけ延設する第３の基部と、上記第３の基部の上記シールドパネルから延設する先端にて同シールドパネルと略水平に所定長だけ延設する第４の基部とから形成される。上記第４の基部には、上記基板をネジ止めするためのネジ穴が形成される。
【００１４】
そして、上記基板は、先ず上記位置決め固定台座にて上記シールドパネルの水平方向において直交する上記基板の２方向がそれぞれ位置決めされた後、同位置決め固定台座および上記固定台座にてそれぞれネジ止めされて上記シールドパネルに固定される。
【００１５】
また、前記目的を達成するための請求項２に記載の発明は、回路を実装する基板を板金に位置決めする基板位置決め構造において、上記板金の一部を外側に切り起こして形成した位置決め固定台座を有し、上記位置決め固定台座は、上記板金の水平方向において直交する上記基板の２方向をそれぞれ位置決め可能とするように形成されることにある。
【００１６】
要するに、本発明の基板位置決め構造は、回路を実装する基板を板金に位置決めするためのものである。上記板金は、同板金の一部を外側に切り起こして形成した位置決め固定台座を有する。上記位置決め固定台座は、上記板金の水平方向において直交する上記基板の２方向をそれぞれ位置決め可能とするように形成される。そして、上記基板は、上記位置決め固定台座にて上記板金の水平方向において直交する上記基板の２方向がそれぞれ位置決めされる。
【００１７】
また、請求項３に記載の発明は、請求項２に記載の基板位置決め構造において、上記位置決め固定台座は、上記基板の所定の一端部が当接することで同基板の所定の一方向への移動を阻止して、同基板を上記板金に固定する際に同所定の一方向の位置決めを可能とするように形成された第１の突起部と、上記基板の上記所定の一端部と直交する所定の他端部が当接することで同基板の上記所定の一方向と直交する所定の他方向への移動を阻止して、同基板を上記板金に固定する際に同所定の他方向の位置決めを可能とするように形成された第2の突起部とを有することにある。
【００１８】
要するに、請求項2に記載の基板位置決め構造において、上記位置決め固定台座は、上記基板の所定の一端部が当接することで同基板の所定の一方向の位置決めを可能とするように形成された第１の突起部と、上記基板の上記所定の一端部と直交する所定の他端部が当接することで同基板の上記所定の一方向と直交する所定の他方向の位置決めを可能とするように形成された第2の突起部とを有する。そして、上記第１の突起部と上記第２の突起部とで同板金の水平方向において直交する同基板の２方向がそれぞれ位置決めされる。
【００１９】
また、請求項４に記載の発明は、請求項３に記載の基板位置決め構造において、上記位置決め固定台座は、上記シールドパネルの厚み方向に所定長だけ延設する第１の基部と、上記第１の基部の上記シールドパネルから延設する先端の一部にて同シールドパネルと略水平に所定長だけ延設する第２の基部とを有し、上記第１の突起部は、上記第2の基部の一部にて上記シールドパネルの厚み方向に所定長だけ延設するように形成され、上記第２の突起部は、上記第２の基部の上記第１の基部から延設する方向と略直交する先端にて上記シールドパネルの厚み方向に所定長だけ延設するように形成されることにある。
【００２０】
要するに、請求項３に記載の基板位置決め構造において、上記位置決め固定台座は、上記シールドパネルの厚み方向に所定長だけ延設する第１の基部と、上記第１の基部の上記シールドパネルから延設する先端の一部にて同シールドパネルと略水平に所定長だけ延設する第２の基部とを有する。そして、上記第１の突起部は、上記第2の基部の一部にて上記シールドパネルの厚み方向に所定長だけ延設するように形成される。また、上記第２の突起部は、上記第２の基部の上記第１の基部から延設する方向と略直交する先端にて上記シールドパネルの厚み方向に所定長だけ延設するように形成される。
【００２１】
また、請求項５に記載の発明は、請求項２乃至４の何れかに記載の基板位置決め構造において、上記位置決め固定台座は、上記基板をネジ止めするためのネジ穴を有することにある。
【００２２】
要するに、請求項２乃至４の何れかに記載の基板位置決め構造において、上記位置決め固定台座は、上記基板をネジ止めするためのネジ穴を有する。そして、上記基板は、上記位置決め固定台座にて上記板金に固定される。
【００２３】
また、請求項６に記載の発明は、請求項２乃至５の何れかに記載の基板位置決め構造において、上記位置決め固定台座は、薄型表示パネルの背面側を覆う板金の一部を切り起こして形成されたことにある。
【００２４】
要するに、請求項2乃至５の何れかに記載の基板位置決め構造において、上記位置決め固定台座が形成される板金には、薄型表示パネルの背面側を覆うために通常備えられている板金が用いられる。
【発明の効果】
【００２５】
以上説明したように、請求項１に記載の発明によれば、モジュールを覆う板金からなるシールドパネルの一部を切り起こして形成した１つの位置決め固定台座で、基板の固定と直交する２方向の位置決めとが可能になることから、簡単な構造で、プリント基板をシールドパネルに簡単に位置決めして固定できることはもちろんのこと、固定用の部材の他に位置決め用の部材を設けたり或いは基板の直交する２方向の位置決めをするために各方向毎に部材を設けることに比較して、基板と各部材との接触する面積が小さくなり、基板に実装する素子等の配置の設計自由度を向上することができる。
【００２６】
また、請求項２に記載の発明によれば、板金の一部を切り起こして形成した１つの位置決め固定台座で、直交する基板の２方向がそれぞれ位置決め可能になることから、プリント基板を板金に簡単に位置決めできることはもちろんのこと、直交する基板の２方向の位置決めをするために各方向毎に部材を設けることに比較して、基板と各部材との接触する面積が小さくなり、基板に実装する素子等の配置の設計自由度を向上することができる。
【００２７】
また、請求項３に記載の発明によれば、基板の所定の一方向の位置決めを可能とするための第１の突起部と、同基板の上記所定の一方向と直交する所定の他方向の位置決めを可能とするための第2の突起部とが上記位置決め固定台座に形成されたので、簡単な構造で、直交する基板の２方向が簡単に位置決め可能になる。
【００２８】
また、請求項４に記載の発明によれば、上記第１の突起部は上記第2の基部の一部にて形成されるので、板金を切り起こす面積が小さくできる。
【００２９】
また、請求項５に記載の発明によれば、上記位置決め固定台座には上記基板をネジ止めするためのネジ穴が形成されているので、プリント基板を板金に位置決めできることに加え簡単な構造で固定できることはもちろんのこと、固定用の部材と位置決め用の部材とを別々に設けることに比較して、基板と各部材との接触する面積が小さくなり、基板に実装する素子等の配置の設計自由度を向上することができる。
【００３０】
また、請求項６に記載の発明によれば、上記位置決め固定台座は薄型表示パネルの背面側を覆うために通常備えられている板金の一部を切り起こして形成されるので、例えば専らプリント基板を固定するためだけに設けられるような板金を削減することができる。これにより、薄型表示装置全体での重量が軽減される。また、薄型表示装置の組み立て時間が削減されたり、組み立てが容易になり、作業性が向上する。
【発明を実施するための最良の形態】
【００３１】
以下、下記の項目に従って本発明の実施形態を図面を参照しつつ説明する。
（１）基板位置決め構造の第１の実施形態
（２）第１の実施形態のまとめ
（３）基板位置決め構造の第２の実施形態
（４）第２の実施形態のまとめ
【００３２】
（１）基板位置決め構造の第１の実施形態
図１は、本発明が適用される薄型表示装置としての液晶テレビジョン１０の一例を示す斜視図である。図１において、液晶テレビジョン１０は、薄型表示パネルとしての液晶パネル１と、スピーカ２ａ、２ｂと、第１の基板３と、第２の基板４と、モジュール５と、シャーシブラケット６ａ、６ｂと、筺体７とから構成されている。
【００３３】
液晶パネル１は、駆動電圧の値によって分子の配列が変化する液晶物質を充填した画素をマトリクス状に配置し、背部にバックライト１ｂを備える構造である。このように構成された液晶パネル１は、上記液晶物質が充填された各画素に所定の電圧を印加することによって配列を変化させ、バックライト１ｂからの光の透過率を変化させることにより映像を表示する。
【００３４】
スピーカ２ａ、２ｂは、音声信号をユーザからの指示に基づいて増幅した後、電気信号を空気振動に変換することで音声を出力する。
【００３５】
第１の基板３は、チューナが受信するテレビジョン放送から映像信号と音声信号を生成し、上記映像信号を液晶パネルに出力し、上記音声信号をスピーカ２ａ、２ｂに出力するディジタル処理を行う複数の回路を実装する。また、第２の基板４は、外部電源を基に必要な電源を供給する電源回路を実装する。
【００３６】
図２は、液晶テレビジョン１０のブロック構成図である。図２において、第１の基板３は、チューナ回路３ａと、クロマＩＣ回路３ｂと、映像信号処理部３ｃと、制御部３ｄと、リモコンＩ／Ｆ３ｅ等とから構成されている。第２の基板４は、液晶テレビジョン１０を構成する各要素に必要な電源を供給するための電源回路４ａ等を実装している。
【００３７】
チューナ回路３ａは、図示しないアンテナが受信したテレビジョン放送からユーザが指示した番組に対応するテレビジョン放送信号を受信し、上記テレビジョン放送信号から映像信号と音声信号とを生成する。
【００３８】
クロマＩＣ回路３ｂは、チューナ回路３ａにて生成された映像信号を映像信号処理部３ｃに出力し、同じくチューナ回路３ａにて生成された音声信号をスピーカ２ａ、２ｂに出力する。
【００３９】
映像信号処理部３ｃは、入力された上記映像信号から１画面単位での映像のＲＧＢの各階調表現に対応する映像データを生成し、この生成した映像データにガンマ補正等の信号処理を行う。
【００４０】
駆動回路１ａは、映像信号処理部３ｃが生成した１画面単位での映像データを液晶パネル１の表示画面の縦横の画素比に対応するように分割し、この分割した映像データを基に水平走査で液晶パネル１に表示するための駆動電圧を生成する。
【００４１】
上記した各構成要素は、ＩＩＣバス１０ａにて接続されており、制御部３ｄは、ユーザがリモコンＩ／Ｆ３ｅを介してリモコン９にて出力した指示を基に、制御部３ｄ内のマイコンにより各要素を制御する。
【００４２】
図１に戻り、モジュール５は、液晶パネル１を収納する凹部を有し、厚みの薄い枠状の構造である。モジュール５は、液晶パネル１のビューエリアを取り囲むように正面側と側面側とに金属製の枠部が配置されつつ、背面側を板金からなるシールドパネル５ａにて覆われている。また、モジュール５の補強として、モジュール５の背面に柱状のシャーシブラケット６ａ、６ｂがネジ止めされている。
【００４３】
筺体７は、フロントキャビネット７ａとバックキャビネット７ｂとから構成されている。フロントキャビネット７ａは、前面に映像を表示するための開口部を有しており、モジュール５とスピーカ２ａ、２ｂとがこのフロントキャビネット７ａにネジ止めされ後、フロントキャビネット７ａにバックキャビネット７ｂがネジ止めされることにより液晶テレビジョン１０を構成する各構成品を収容する。
【００４４】
上記構成において、第１の基板３と第２の基板４とは、それぞれ液晶パネル１の背面に位置するようにシールドパネル５ａにネジ止めされることによりモジュール５に取り付けられている。このとき、第１の基板３と第２の基板４とをネジ止めするためにシールドパネル５ａに設けられた基板固定部の構造を工夫することにより、簡易な構造且つ少ない基板固定部で第１の基板３と第２の基板４とをそれぞれ位置決めしつつシールドパネル５ａに固定できるようにした。以下、その基板固定部の構造について詳細に説明する。尚、第１の基板３と第２の基板４とは、シールドパネル５ａとの固定方法に特段の差異はないため第１の基板３を用いてその説明を行う。
【００４５】
図３は、シールドパネル５ａの部分拡大図である。図３に示すように、シールドパネル５ａには、第１の基板３をネジ止めするためにそのシールドパネル５ａの一部を外側に切り起こして形成した複数の切欠きである基板固定部１１が設けられている。この基板固定部１１は、第１の基板３を位置決めし且つ固定する位置決め固定台座１１ａと、第１の基板３を固定する固定台座１１ｂ、１１ｃ、１１ｄとから構成されている。上記構成において、第１の基板３は、位置決め固定台座１１ａにシールドパネル５ａの水平方向において直交する２方向が位置決めされつつ、位置決め固定台座１１ａ、固定台座１１ｂ、１１ｃ、１１ｄにネジ止めされ、第１の基板３の厚み方向がシールドパネル５ａの厚み方向と同じになるようにシールドパネル５ａに固定される。
【００４６】
図４は、位置決め固定台座１１ａを拡大した図であり、（ａ）はシールドパネル５ａから切り起こして形成した後を示し、（ｂ）はシールドパネル５ａから切り起こす前を示している。図４において、位置決め固定台座１１ａは、シールドパネル５ａの厚み方向に所定長だけ延設する第１の基部１１ａ１と、第１の基部１１ａ１のシールドパネル５ａから延設する先端の一部にてシールドパネル５ａと略水平に所定長だけ延設する第２の基部１１ａ２と、第１の基部１１ａ１のシールドパネル５ａから延設する先端の他の一部にてシールドパネル５ａの厚み方向に所定長だけ延設する第１の突起部１１ａ３と、第２の基部１１ａ２の第１の基部１１ａ１から延設する方向と略直交し且つ第１の突起部１１ａ３が形成された側と反対方向の先端にてシールドパネル５ａの厚み方向に所定長だけ延設する第２の突起部１１ａ４とから形成されている。
【００４７】
第１の突起部１１ａ３は、第１の基板３の所定の一端部が当接することで第１の基板３の所定の一方向例えばＹ方向への移動を阻止して、第１の基板３をシールドパネル５ａに固定する際にそのＹ方向の位置決めを可能とするために形成されている。また、第２の突起部１１ａ４は、第１の基板３の上記所定の一端部と直交する所定の他端部が当接することで第１の基板３の上記所定の一方向と直交する所定の他方向例えばＸ方向への移動を阻止して、第１の基板３をシールドパネル５ａに固定する際にそのＸ方向の位置決めを可能とするために形成されている。
【００４８】
このように、本実施例の位置決め固定台座１１ａは、シールドパネル５ａの一部が切り起こされることで第１の基部１１ａ１と第１の突起部１１ａ３とが形成され、上記切り起こされた片の一部が屈曲されることで第２の基部１１ａ２が形成され、その屈曲された片が更に屈曲されることで第２の突起部１１ａ４が形成されている。尚、位置決め固定台座１１ａの形成はこのような方法に限定される必要はなく、他の種々の方法により上記構造を構成すれば良い。
【００４９】
また、位置決め固定台座１１ａは、第１基板３をネジ止めするためのネジ穴１２を第２の基部１１ａ２に有している。このネジ穴１２は、第１基板３を固定する際に用いられるネジ１４ａと螺合する雌ネジ１２ａを有している。
【００５０】
図３に戻り、固定台座１１ｂは、シールドパネル５ａの厚み方向に所定長だけ延設する第３の基部１１ｂ１と、第３の基部１１ｂ１のシールドパネル５ａから延設する先端にてシールドパネル５ａと略水平に所定長だけ延設する第４の基部１１ｂ２とから形成されている。この固定台座１１ｂも、位置決め固定台座１１ａと同様に、シールドパネル５ａの一部が切り起こされることで形成されている。
【００５１】
また、固定台座１１ｂも、第１基板３をネジ止めするためのネジ穴１３を第４の基部１１ｂ２に有している。このネジ穴１３も、第１基板３を固定する際に用いられるネジ１４ｂと螺合する雌ネジ１３ａを有している。固定台座１１ｃ、１１ｄは、固定台座１１ｂと同一の形状であることから、説明を省略する。これら固定台座１１ｂ、１１ｃ、１１ｄは、シールドパネル５ａから延設する高さが第２の基部１１ａ２と略同一になるように形成されることで、第１の基板３を位置決め固定台座１１ａと固定台座１１ｂ、１１ｃ、１１ｄとにネジ止めした際、すなわち、第１の基板３を位置決め固定台座１１ａと固定台座１１ｂ、１１ｃ、１１ｄとで支持して固定した際、第１の基板３がシールドパネル５ａに対して略水平に配置される。
【００５２】
このように構成された基板固定部１１により、第１の基板３は、先ず位置決め固定台座１１ａにてＸ方向とＹ方向とが位置決めされた後、位置決め固定台座１１ａ、固定台座１１ｂ、１１ｃ、１１ｄにてそれぞれネジ止めされてシールドパネル５ａに固定される。
【００５３】
（２）第1の実施形態のまとめ
上述のように、本実施例によれば、モジュール５を覆う板金からなるシールドパネル５ａの一部を切り起こして形成した１つの位置決め固定台座１１ａで、第１の基板３の直交するＸ方向、Ｙ方向の位置決めと固定とが可能になることから、簡単な構造で、第１の基板３をシールドパネル５ａに簡単に位置決めして固定できる。特に、専ら固定するためだけの固定台座１１ｂの他に専ら位置決めするためだけの部材を別に設けたり、或いは第１の基板３の直交するＸ方向、Ｙ方向の位置決めをするために各方向毎に部材を設けることに比較して、第１の基板３と位置決め及び固定用の各部材との接触する面積が小さくなり、第１の基板３に実装する素子等の配置の設計自由度を向上することができる。
【００５４】
また、第１の基板３等の固定の際に位置決めが容易になり、固定に要する組み付け時間が削減され、作業性の改善効果も期待できる。
【００５５】
また、本実施例によれば、第１の基板３のＹ方向の位置決めをするための第１の突起部１１ａ３と、上記Ｙ方向と直交するＸ方向の位置決めを可能とするための第2の突起部１１ａ４とが上記位置決め固定台座１１ａに形成されたので、簡単な構造で、基板のＸ方向、Ｙ方向の直交する２方向が簡単に位置決め可能になる。
【００５６】
また、本実施例によれば、上記位置決め固定台座１１ａは液晶パネル１の背面側を覆うために通常備えられているシールドパネル５ａの一部を切り起こして形成されるので、例えば専ら第１の基板３等を固定するためだけに設けられるような板金や保持部材を削減することができる。これにより、液晶テレビジョン１０全体での重量が軽減される。また、液晶テレビジョン１０の組み立て時間が削減されたり、液晶テレビジョン１０の組み立てが容易になり、作業性が向上する。
【００５７】
（３）基板位置決め構造の第２の実施形態
次に、本発明の他の実施形態を説明する。尚、以下の説明において実施例相互に共通する部分には同一の符号を付して説明を省略する。また、技術的に両立しない場合を除いて、本明細書で述べる複数の実施例は共通の対象に適用可能である。
【００５８】
図５は、位置決め固定台座１５ａを拡大した図であり、図４に相当する別の実施例である。（ａ）はシールドパネル５ａから切り起こして形成した後を示し、（ｂ）はシールドパネル５ａから切り起こす前を示している。図５において、位置決め固定台座１５ａは、シールドパネル５ａの厚み方向に所定長だけ延設する第１の基部１５ａ１と、第１の基部１５ａ１のシールドパネル５ａから延設する先端の一部にてシールドパネル５ａと略水平に所定長だけ延設する第２の基部１５ａ２と、第2の基部１５ａ２の一部にてシールドパネル５ａの厚み方向に所定長だけ延設する第１の突起部１５ａ３と、第２の基部１５ａ２の第１の基部１５ａ１から延設する方向と略直交する先端にてシールドパネル５ａの厚み方向に所定長だけ延設する第２の突起部１５ａ４とから形成されている。
【００５９】
前述の実施例と同様に、第１の突起部１５ａ３は、第１の基板３をシールドパネル５ａに固定する際に例えばＹ方向の位置決めを可能とするために形成されている。また、第２の突起部１５ａ４は、第１の基板３をシールドパネル５ａに固定する際に例えばＸ方向の位置決めを可能とするために形成されている。
【００６０】
このように、本実施例の位置決め固定台座１５ａは、シールドパネル５ａの一部が切り起こされることで第１の基部１５ａ１と第１の突起部１５ａ３とが形成され、上記切り起こされた片の一部が屈曲されることで第２の基部１５ａ２が形成され、その屈曲された片が更に屈曲されることで第２の突起部１５ａ４が形成されている。特に、第１の突起部１５ａ３は、第２の基部１５ａ２を形成する際に第２の基部１５ａ２から切り離されて屈曲されずに残った第２の基部１５ａ２の一部である。
【００６１】
また、位置決め固定台座１５ａは、第１基板３をネジ止めするためのネジ穴１６を第２の基部１５ａ２に有している。このネジ穴１６は、第１基板３を固定する際に用いられるネジ１４ａと螺合する雌ネジ１６ａを有している。
【００６２】
（４）第２の実施形態のまとめ
上述のように、本実施例によれば、モジュール５を覆う板金からなるシールドパネル５ａの一部を切り起こして形成した１つの位置決め固定台座１５ａで、第１の基板３の直交するＸ方向、Ｙ方向の位置決めと固定とが可能になることから、前述の実施例と同様の効果が得られる。
【００６３】
特に、第１の突起部１５ａ３は、第２の基部１５ａ２を形成する際に屈曲されずに残った第２の基部１５ａ２の一部により形成されるので、シールドパネル５ａを切り起こす面積が小さくできる。これにより、例えばより小さな基板の固定が可能になる。
【００６４】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００６５】
【図１】本発明が適用される液晶テレビジョンの一例を示す斜視図である。
【図２】液晶テレビジョンのブロック構成図である。
【図３】シールドパネルの部分拡大図である。
【図４】位置決め固定台座を拡大した図である。
【図５】位置決め固定台座の別の実施例を拡大した図である。
【符号の説明】
【００６６】
１：液晶パネル（薄型表示パネル）
３：第１の基板
４：第２の基板
５：モジュール
５ａ：シールドパネル（板金）
１０：液晶テレビジョン（薄型表示装置）
１１：基板固定部
１１ａ：位置決め固定台座
１１ａ１：第１の基部
１１ａ２：第２の基部
１１ａ３：第１の突起部
１１ａ４：第２の突起部
１１ｂ、１１ｃ、１１ｄ：固定台座
１１ｂ１：第３の基部
１１ｂ２：第４の基部
１２：ネジ穴
１２ａ：雌ネジ
１３：ネジ穴
１４ａ：ネジ
１５ａ：位置決め固定台座
１５ａ１：第１の基部
１５ａ２：第２の基部
１５ａ３：第１の突起部
１５ａ４：第２の突起部
１６：ネジ穴
１６ａ：雌ネジ
【図１】
2008218845.tif 000003
【図２】
2008218845.tif 000004
【図３】
2008218845.tif 000005
【図４】
2008218845.tif 000006
【図５】
2008218845.tif 000007